(57)【要約】【課題】体位変換動作に対応する膝挙上エアマットの提供。【解決手段】長手方向中央に設けられ、エアマット１中央部の厚さを予め設定された値に規制し、エア連通状態にて左右エアセル３ａ，３ｂに分割し、この部分にてエアマットを折り曲げ可能とする中央仕切りシート２、左右各エアセルの中間に長手方向に設けられ、その厚さを中央部よりも厚い値に規制する左右各エアセルの中間仕切りシート４ａ，４ｂを備え、左右エアセルは、前方が後方より低くなるよう傾斜しており、上記左右エアセル中間仕切りシート部分に、載せられた脚を安定に維持するための凹部７ａ，７ｂが形成されている。【選択図】  図１
2004222986.tif 000002
【特許請求の範囲】
【請求項１】
可撓性シートにて形成されエア供給により膨張し、就床患者の膝下に配置されて、その膝を屈曲した状態に維持する膝挙上エアマットにおいて、
長手方向中央に設けられ、エアマット中央部の厚さを予め設定された値に規制するとともに、エア連通状態にて左右エアセルに分割し、この部分にてエアマットを折り曲げ可能とする中央仕切りシート、上記右エアセルの中間に長手方向に設けられ、上記右エアセルの中間部の厚さを上記中央部よりも厚い値に規制するとともにエア連通可能な右エアセル中間仕切りシート、上記左エアセルの中間に長手方向に設けられ、上記左エアセルの中間部の厚さを上記中央部よりも厚い値に規制するとともにエア連通可能な左エアセル中間仕切りシートとを備え、上記左右エアセルは、前方が後方より低くなるよう傾斜しており、上記左右エアセル中間仕切りシート部分に、載せられた脚を安定に維持するための凹部が形成されることを特徴とする膝挙上エアマット。
【請求項２】
上記中央仕切りシートは、所定間隔を有する２枚の平行に配置されたシートよりなり、中央部にて折り曲げたとき左右エアセルが中央部にて離間する構成としたことを特徴とする請求項１記載の膝挙上エアマット。
【発明の詳細な説明】
【０００１】
【発明の属する技術分野】
本発明は、寝たきり患者の膝下に敷かれて膝部分を持ち上げる膝挙上エアマットに関する。
【０００２】
【従来の技術】
従来、拘縮等により膝関節が曲がったままの状態にある患者にあっては、就床時臀部に圧迫力が集中し、褥創の原因となることがある。それゆえ、この局所的な圧迫力の集中を避けるために、曲がった膝関節の下にエアマットを敷くことが考えられる。特許文献１には、膝の下にボルスターを敷き、背中下部の痛みを和らげる旨記載されている。
【０００３】
また、寝たきり患者にあっては、褥創防止のために時々寝返りをうたせる必要があり、自動体位変換エアマットが使用される。これは患者の下に敷かれた左右のエアマットを交互に膨張させて患者の体の右側あるいは左側を交互に持ち上げ、体を左右に交互に傾斜させ寝返りと同じ効果を得るのである。かかる構造は、例えば特許文献２に開示されている。
【０００４】
【特許文献１】
特公平６−５１０６８１号公報
【特許文献２】
特開２００２−１２６０１３号公報
【０００５】
【発明が解決しようとする課題】
上記特許文献１にかかるボルスターは、エアを封入して膨張させた状態では、中央部分で折り曲げることは不可能であり、これを特許文献２に示される体位変換用エアマットの上に敷いた場合、ボルスターがずり落ち、膝部分を持ち上げた状態を維持できないと予想される。
【０００６】
本発明は、このような事情を考慮してなされたものであり、体位変換用エアマット上に敷いた場合にも、体位変換用エアマットの膨張、収縮に応じて中央部分で曲がり、左右エアセルにて、膝の屈曲状態を保ちつつ体位変換を可能とするものである。
【０００７】
【課題を解決するための手段】
本発明（請求項１）は、可撓性シートにて形成されエア供給により膨張し、就床患者の膝下に配置されて、その膝を屈曲した状態に維持する膝挙上エアマットにおいて、長手方向中央に設けられ、エアマット中央部の厚さを予め設定された値に規制するとともに、エア連通状態にて左右エアセルに分割し、この部分にてエアマットを折り曲げ可能とする中央仕切りシート、上記右エアセルの中間に長手方向に設けられ、上記右エアセルの中間部の厚さを上記中央部よりも厚い値に規制するとともにエア連通可能な右エアセル中間仕切りシート、上記左エアセルの中間に長手方向に設けられ、上記左エアセルの中間部の厚さを上記中央部よりも厚い値に規制するとともにエア連通可能な左エアセル中間仕切りシートとを備え、上記左右エアセルは、前方が後方より低くなるよう傾斜しており、上記左右エアセル中間仕切りシート部分に、載せられた脚を安定に維持するための凹部が形成されるものである。
【０００８】
かかる構成において、体位変換に際し、膝挙上エアマットの下に敷かれた体位変換用エアマットが作動し、例えばこの体位変換用エアマットの右側部分が膨張した場合、患者の体の右側が押し上げられ患者の体は傾斜する。このとき、膝挙上エアマットは、体位変換用エアマットの右エアセルに押されて、中央部にて「く」の字型に曲がり、右エアセルが上昇し、これに載せられた患者の右足もまた上昇する。膝挙上エアマットの左エアセルの位置は変化しないから、その凹部に載せられた左足もまた移動はしない。
【０００９】
本発明（請求項２）において、上記中央仕切りシートは、所定間隔を有する２枚の平行に配置されたシートよりなり、中央部にて折り曲げたとき左右エアセルが中央部にて離間せしめられる。かかる構成において、膝挙上エアマットは、体位変換動作時、中央部にて折り曲げられても、この折り曲げ部分の左右エアセルがこすれ合うことはなく、擦過音の発生あるいはエアマットシートの磨耗は生じない。
【００１０】
【発明の実施の形態】
以下実施の形態にかかる膝挙上エアマットついて説明する。図１〜３において、１は、密封構造を有する膝挙上エアマット（以下単にエアマットという）であり、ポリウレタンフィルム等のエア非透過性の可撓性シートにて形成されている。２は、長手方向（就床患者の体に沿った方向）中央に平行に設けられた２枚の中央仕切りシートで、エアマット１を構成するシートと同一材質のシートよりなり、エアマット１の内側上面及び下面に溶着されている。この中央仕切りシート２はエアマット１の中央部の厚さを予め設定された値、例えば４ｃｍに規制するとともに、エアマット１を左右エアセル３ａ，３ｂに分割する。左右エアセル３ａ，３ｂは、中央部に対して左右対称である。２枚の中央仕切りシート２の大きさは、縦４ｃｍ、横２６ｃｍ、またその間隔は、約２ｃｍである。このシート２の長手方向両端とエアマット１内側との間は開放されており、それゆえ左右エアセル３ａ，３ｂ空間は、連通状態にある。
【００１１】
中央仕切りシート２を２枚とし、その間隔をあけたのは、エアマット１を中央部にて折り曲げたとき、折り曲げ部において左右エアセル３ａ，３ｂが擦れあい、擦過音を生じたり、あるいは擦れあうことによりエアマットシートが磨耗することを抑制するためである。
【００１２】
４ａ，４ｂは、各左右エアセル３ａ，３ｂの中間に長手方向に設けられ、各左右エアセル３ａ，３ｂの中間部の厚さを中央部より厚い値に規制する中間仕切りシートである。各中間仕切りシート４ａ，４ｂの大きさは、底辺２１ｃｍ、長手方向の後辺（足元側）の高さ１８ｃｍ、長手方向の前辺（頭側）の高さ７ｃｍの台形とすることができ、これによりエアマットの後方から前方に向かって傾斜している。大腿部の傾斜面がこの傾斜部分にて支えられる。中間仕切りシート４ａ，４ｂの底辺と上辺はエアマット１の内側の上面及び下面に溶着されている。この中間仕切りシート４ａ，４ｂの後辺及び前辺とエアマット１内側との間は開放されており、シート４ａ，４ｂ両側空間はエア連通状態にある。
【００１３】
５はエア給排気チューブであリ、エアポンプ（図示せず）に連結される。６は、エアマット１の溶着ラインであり、２枚のシートの端縁が高周波溶着等により溶着されて密封体袋構造とされている。エアマット１の大きさは、膨張状態において長手方向の長さ約３０ｃｍ、これと垂直方向の幅約６５ｃｍ、最大厚さ部分約１６ｃｍとすることができる。またエアマット１のエアマット圧は、任意に調節することができ、これにより膝の挙上高さが調整される。患者の体格、拘縮の程度、感触の硬軟等に応じて変更されるのである。さらに周期的にエアマット圧を変更して、挙上高さを変化させたり、感触を変化させることもできる。
【００１４】
エアマット１の膨張状態では、エアマット１は、中央仕切りシート２部分が最も薄く、この部分にて折り曲げ可能である。また各左右エアセル３ａ，３ｂにおいては、中間仕切りシート４ａ，４ｂが位置する中間部はその周囲よりくぼんだ凹部７ａ，７ｂを有している。この凹部７ａ，７ｂに患者の膝あるいは大腿部が載せられる。
【００１５】
次にエアマット１の使用状況につき説明する。図４に示すように、エアマット１は、給気膨張させた状態で、患者８が就床したエアマット９の上面において患者８の膝及び大腿部の下に配置される。なおエアマット９に代えて、スポンジフォームからなるマットレスあるいは通常の布団が使用できる。膝は、エアマット１上に載せられることにより、拘縮した脚の場合は、膝関節が屈曲した状態のまま維持され、臀部への圧迫力が軽減される。また拘縮症状のない患者においても、背中下部にかかる負担を軽くすることができる。
【００１６】
エアマット１は、エアマット９の下に敷くこともできる。上体を起こす機能を持つベッドにあっては、上体起こし時、同時に膝部分も上げて体のずれが防止されるのが一般的であるが、上体起こし機能のみで、膝上げ機能を持たないベッドもあり、かかるベッドにおいてエアマット１がエアマット９の下に敷かれるのである。この場合、上体起こし時、エアマット１に給気して膝部分を上げるのであり、上体起こし機構の駆動源に連動させてエアマット１のエアポンプを駆動させる。すなわち上体起こし駆動源（油圧シリンダー、エアポンプ等）を電源オンとして上体起こし動作を開始すると同時にエアマット１のエアポンプを駆動し、これに給気し、電源オフに同期してエアマット１の排気を行うのである。
【００１７】
図５は体位変換時の状態を示し、１０は、マットレス９の下に敷かれた体位変換用エアマットであり、長手方向に左右対称の左右エアセル１０ａ，１０ｂを有し、図は、右エアセル１０ａを膨張させ、患者８の右側を持ち上げ傾斜させた状態を示す。この体位変換用エアマット１０の右エアセル１０ａの膨張により、マットレス９及びエアマット１は折れ曲がる。エアマット１は、その中央部が折れ曲がり、患者８の大腿部は左右エアセル３ａ，３ｂの凹部７ａ，７ｂに載せられている。
【００１８】
本発明にかかるエアマット１の一実用例を図６に示す。９は、前述のマットレスに対応するエアマットで、エアポンプ（図示せず）からエアが給排気される２系統エアマット等が使用できる。１０は、このエアマット９の下に敷かれた体位変換用エアマットであり、図示の例は右エアセル１０ａに給気、膨張させ、患者（図示しないが、エアマットの図中下方に頭部が位置する）の体の右側を起こす状態を示す。
【００１９】
１１ａ，１１ｂは、エアマット１の両側に配置されたサイドエアセルで、常時膨張状態に維持され、患者の転落防止作用をなす。１２ａ，１２ｂは、エアマット１の左右縁部上面において長手方向に配置されたストッパーエアセルで、体位変換エアマット１０と連動し、患者のずれを防止する作用をなす。すなわち体位変換エアマット１０の右エアセル１０ａが膨張したとき、左側のストッパーエアセル１２ｂが膨張して患者の体を支えるのである。このとき体位変換エアマット１０の左エアセル１０ｂ及び右側のストッパーエアセル１２ａは排気、収縮状態にある。
【００２０】
右エアセル３ａ膨張後、所定時間経過すると排気され、その後今度は左エアセル３ｂに給気されて、患者の体の左側が起こされる。この動作に応じてエアマット１は、一旦平坦な状態に戻り、その後また「く」字状に折れ曲がる。このようにして体位変換が自動的に行われる。エアマット１は、エアマット１上の患者の膝及び大腿部が位置する部位に配置され、体位変換エアマット１０作動時、膝及び大腿部を安定に支持した状態で折れ曲がる。
【００２１】
【発明の効果】
本発明（請求項１）によれば、中央部が薄く形成され、この部分において折れ曲がりやすく構成されているから、体位変換エアマットの作動により患者が就床しているエアマットが折れ曲がったときこれに応じて折れ曲がり、患者の膝及び大腿部を安定に維持する。またかかるエアマットは、拘縮した脚を曲がったまま支え、臀部にかかる圧迫力を軽減し、患者の就寝姿勢を楽なものとし、体位変換を安定した姿勢のまま行うことができる。さらに上体を起こす機能を有するベッドにおいて、上体起こし時、体のズレを防止する一般的な膝挙上エアマットとしても使用できることは言うまでもない。
【００２２】
また本発明（請求項２）によれば、左右エアセルは、中央部にて間隔をもって隔てられているから、折り曲げ時、両エアセルが接触することは抑制され、接触による擦過音等の騒音は発生せず、また擦れあうことによる磨耗を防止することができる。
【図面の簡単な説明】
【図１】本発明の実施の形態にかかる膝挙上エアマットを示す斜視図である。
【図２】図１のＡ−Ａ線断面図である。
【図３】図１のＢ−Ｂ線断面図である。
【図４】エアマットの使用状態を示す側面図である。
【図５】体位変換作動状態を説明するための概略図である。
【図６】実用的使用例を示す分解斜視図である。
【符号の説明】
１…膝挙上エアマット
２…中央仕切りシート
３ａ，３ｂ…左右エアセル
４ａ，４ｂ…中間仕切りシート
５…エアチューブ
７ａ，７ｂ…凹部
８…患者
９…エアマット
１０…体位変換用エアマット
１１ａ，１１ｂ…サイドエアセル
１２ａ，１２ｂ…ストッパーエアセル
【図１】
2004222986.tif 000003
【図２】
2004222986.tif 000004
【図３】
2004222986.tif 000005
【図４】
2004222986.tif 000006
【図５】
2004222986.tif 000007
【図６】
2004222986.tif 000008